(57)【特許請求の範囲】
【請求項１】
第１伝送路を介して上流側クロスコネクト装置と接続され、第２伝送路を介して下流側クロスコネクト装置と接続され、上記第１伝送路から受信した通信フレームを上記第２伝送路に中継するＳＤＨ／ＳＯＮＥＴ網用のクロスコネクト装置におけるパスサイズ制御方法であって、
上記第１伝送路から受信した第１通信フレームのヘッダに含まれるＨ１、Ｈ２バイトから、パスサイズを検出するステップと、
管理システムから予めパスサイズが指定されていた場合、上記第２伝送路に送信すべき第２通信フレームのヘッダのＨ１、Ｈ２バイトに、上記指定パスサイズを設定するステップと、
管理システムからパスサイズが指定されていなかった場合、上記第２伝送路に送信すべき第２通信フレームのヘッダのＨ１、Ｈ２バイトに、上記第１通信フレームから検出されたパスサイズを設定するステップとからなることを特徴とするパスサイズ制御方法。
【請求項２】
請求項１のパスサイズ制御方法において、更に、
前記管理システムから、前記指定パスサイズとは別のパス最大帯域を指定するステップと、
前記第１通信フレームから検出されたパスサイズを上記最大帯域と比較するステップと、
上記第１通信フレームから検出されたパスサイズが上記最大帯域を越えていた場合、上記管理システムに警報を出力するステップを含むことを特徴とするパスサイズ制御方法。
【請求項３】
第１伝送路を介して上流側クロスコネクト装置と接続され、第２伝送路を介して下流側クロスコネクト装置と接続され、上記第１伝送路から受信した通信フレームを上記第２伝送路に中継するＳＤＨ／ＳＯＮＥＴ網用のクロスコネクト装置であって、
上記第１伝送路に接続され、該第１伝送路から第１通信フレームを受信するための第１のポートと、
上記第２伝送路に接続され、該第２伝送路に上記第１通信フレームから抽出されたデータを含む第２通信フレームを送信するための第２のポートと、
上記第１通信フレームのヘッダに含まれるＨ１、Ｈ２バイトからパスサイズを検出し、管理システムから予めパスサイズが指定されていなかった場合は、該第１通信フレームから検出されたパスサイズをＨ１、Ｈ２バイトに含む第２通信フレームを生成して、上記第２のポートに出力するパスサイズ判定手段とを備えたことを特徴とするクロスコネクト装置。
【請求項４】
請求項３に記載のクロスコネクト装置において、
前記管理システムから予めパスサイズが指定されていた場合、前記パスサイズ判定手段が、上記指定パスサイズをＨ１、Ｈ２バイトに含む第２通信フレームを生成して、前記第２のポートに出力することを特徴とするクロスコネクト装置。
【請求項５】
請求項３または請求項４に記載のクロスコネクト装置において、
前記管理システムから予め指定されたパス最大帯域を記憶するためのメモリと、
前記第１通信フレームから検出されたパスサイズを上記最大帯域と比較し、該パスサイズが上記最大帯域を越えていた場合、前記管理システムに警報を出力するための手段を有することを特徴とするクロスコネクト装置。
【発明の詳細な説明】
【０００１】
【発明の属する技術分野】
本発明は、ＳＤＨ（Synchronous Digital Hierarchy）又はＳＯＮＥＴ（Synchronous Optical Network）伝送装置に使用されるクロスコネクト装置、及び前記伝送装置を監視、制御するオペレーションシステムに関する。
【０００２】
【従来の技術】
伝送路には、行き先の異なるパス（回線の束）が多重化されており、これらのパスはクロスコネクト装置によってパスの集束、分離、詰替えが行われ、適切な方路に送られる。クロスコネクト装置は、伝送路網の使用効率を高め、経済的で高信頼なパスを構成することができる。このクロスコネクト装置の監視、制御を行うためにワークステーションやパソコン等の情報処理装置にて構成されるオペレーションシステムが接続されている。
【０００３】
従来、ＳＤＨ/ＳＯＮＥＴ方式を用いる伝送装置のネットワーク網においては、パスのサイズ(物理的には伝送速度に相当)はパス設定時に予め指定され、その後固定で保持される。また、このサイズはパスを設定する時にしか変更が出来ず、サイズを変更したい場合は、一旦パスを解除する必要がある。
【０００４】
しかし、従来のパスの設定方式は、多重化装置に対する規定であるＩＴＵ  Ｇ．７８３規格書の“６．Ｈｉｇｈｅｒ  ｏｒｄｅｒ  ＳＤＨ  ｐａｔｈ  ｌａｙｅｒ”及びＢｅｌｌｃｏｒｅ  ＧＲ−２５３−ＣＯＲＥ規格書（Ｆｉｇｕｒｅ  ２−１，２−２を参照）に記載されている通り、サイズに関しての記述はない。
【０００５】
【発明が解決しようとする課題】
今後、ハイビジョン伝送を始めとするマルチメディア時代に対応していくためには、広帯域ＩＳＤＮ（Integrated Service Digital Network）の実現化が必要不可欠であり、またこのＩＳＤＮを実現する上でＡＴＭ（Asynchronous Transfer Mode）も重要な技術とされ、２１世紀の情報通信インフラストラクチャとして期待されている。
【０００６】
よって、これからは、技術の進歩に加え経済、社会、生活、文化の急激な変化と共に、情報化はさらに進展されるものと予想される。これからの伝送ネットワークでは、様々なサービスに柔軟に対応できるようシンプルで運用性の高いものである必要がある。さらに、コストを下げるためにネットワークの運用・保守・管理のシンプル化も求められる。
【０００７】
このような状況に対し、従来のＳＤＨ／ＳＯＮＥＴ方式を用いる伝送装置のネットワークでは、パスのサイズは固定的に管理されており、パス設定後このパスサイズを変更することはシステムとして許容されず、サイズを変更したい場合は、再度新たなサイズでパスの設定を行う必要がある。これではサービス能力を向上させ、ネットワーク保守・管理のシンプル化の実現は難しい。
【０００８】
本発明は、パス設定後のサイズの自動変更方式を採用して任意の時間に任意のパスサイズを提供することにより、サービス能力・ネットワーク運用性の向上、そしてネットワークの保守・管理のシンプル化を実現することを目的とする。
【０００９】
【課題を解決するための手段】
上記課題を解決するために、以下の手段を設ける。
【００１０】
入力パス信号のサイズは、主情報（ペイロード）に付加された部分（オーバヘッド）の内の１つに相当するラインオーバヘッドＨ１、Ｈ２バイトに表示される。出力パス信号のパスサイズは、入力パス信号のサイズに追随し同じサイズで送信される、というパスサイズの自動変更方式を採用することにより、サービス能力・ネットワーク運用性の向上、ネットワークの保守・管理のシンプル化を実現する。
【００１１】
パスサイズの固定と自動の両方式をユーザに提供し、様々なサービスに柔軟に対応する。
【００１２】
パスサイズを入力信号のサイズに追随し自動で変更することにより、受信パスサイズが物理的または論理的に許容される帯域を超えて変化し、パスの障害が発生する場合が存在する。この時、原因特定、影響範囲等の分析をオペレーションシステムで対応し、ネットワークの保守・管理のシンプル化を実現する。
【００１３】
さらに本発明は、ＳＤＨ/ＳＯＮＥＴ方式を用いた伝送装置とそれを監視及び制御を行う監視システムとから構成されるネットワークにおいて、物理リンクを介し複数個接続されるクロスコネクト装置であって、パスサイズのモニタリングを行い、受信パスサイズを決定する手段を備え、該手段の制御により入力パスサイズに従って受信/送信パスのサイズが自動的に変化しうるような機能を具備することを特徴とするクロスコネクト装置を提供することである。
【００１４】
さらに本発明は、ＳＤＨ/ＳＯＮＥＴ方式を用いた伝送装置とそれを監視及び制御を行う監視システムとから構成されるネットワークにおいて、伝送装置から受信したパスサイズ超過警報とパスの接続状態を元にパスサイズ超過の直接の原因となったクロスコネクト装置やパスの特定、また障害範囲を分析し、ユーザが迅速な対応が出来るようなＧＵＩを提供することを特徴とするオペレーションシステムを提供することである。
【００１５】
【発明の実施の形態】
以下、図面を参照して本発明の実施の形態を説明する。
【００１６】
図1は、本発明に係る伝送装置とそれを監視・制御するネットワークシステムの構成図を示す。監視制御ＥＭＳ（Element Manager System）１０２は、パソコンやワークステーション等の情報処理装置にて構成され、Ｑ３インタフェースを介して複数のクロスコネクト装置を監視制御する。
【００１７】
クロスコネクト装置１０７は、ＮＥ（Network Element）の1つであり、複数のノード間が高速伝送路１１０（１０ＧＢｙｔｅ容量の光ファイバーに相当）により接続されてリングネットワークを構成している。
【００１８】
各ノードは、それぞれクロスコネクト装置（すなわち、パスを設定する装置であり、受信されたフレームをスルー（同速度レベルネットワーク間の伝送又は通過）、ドロップ（高速側ネットワークから低速側ネットワークへフレームを伝送）、及びアッド（低速側ネットワークから高速側ネットワークへフレームを伝送）する機能を有する）に相当し、同図１に照らし合わせて説明すると下位の階層にある他の低速側のネットワークつまり、他の伝送装置１０８やＡＴＭ装置１０９から送られてくる信号を伝送路を介して受信し、リング上の他のノードに向けて高速の伝送路に多重したり、リング上の他のノードから高速伝送路を介して送られてくる信号をさらに別のノードへ通過させたり、低速側のネットワークへ向けて高速伝送路から低速伝送路に分離することが可能である。
【００１９】
また、Ｑ３インタフェースとは、ＥＭＳ１０２とクロスコネクト装置１０７との間で規定されているプロトコルを示し、ＩＴＵ（International Telecommunication Union）勧告の国際標準で規定される網管理インタフェースである。さらにＴＭＮ（Telecommunications Management Network）の規定しているインターフェースの１つに相当し、ＯＳＩ（Open Systems Interconnection）に準拠している。
【００２０】
上記のように構成されるネットワークシステムにおいて、例えば、あるノード間の伝送路に障害が発生した場合、この障害を検出したノードはＱ３インタフェースを介して速やかにＥＭＳ１０２へ情報を送信する。障害情報を受信した該ＥＭＳでは、まず伝送装置を監視及び制御するリングネットワーク管理の機能（頭脳部分）として動作しているリングネットワーク管理部１０４にて障害が分析され、同時に画面出力やデータ入力等のユーザインタフェースを行うＧＵＩ（Graphical User Interface）として動作しているＧＵＩ部１０５によって、ユーザに対し障害状態が報告される。
【００２１】
そして、ＴＬ１インタフェース変換部１０３は、上位管理装置であるＮＭＳ（Network Management System）１０１とＴＬ１インタフェースを介して該ＮＭＳからの要求指示、該ＮＭＳへの応答、該ＮＭＳへの通知など、情報のやりとりを行う。
【００２２】
ここでＴＬ１（Transaction Language 1）インタフェースとは、Ｂｅｌｌｃｏｒｅ規格書で規定されているコマンドの総称を示し、北米での標準インターフェースと成っている。
【００２３】
また、ＥＭＳ１０２においては、各々ＮＥにおける全てのパス情報を一元化して管理するデータベース１０６を有し、該データベース内に管理されているパスの情報に基づいて、パスの設定情報を入力することを特徴とする。
【００２４】
図２は、本発明におけるクロスコネクト装置におけるパスの管理方式を示す構成図である。
【００２５】
この図２は、ノードの観点から図１のクロスコネクト装置を接続して構成されるリングネットワークを示している。
【００２６】
各ノード２０１から２０４には入力側及び出力側端子としてパス終端点に相当するＮｏ．１〜Ｎｏ．１９２の端子が設けられている。
【００２７】
例として、パス２１４は、２つのノード２０１と２０３のパス終端点２０９、２１０の間を物理リンク２０５、２０６（１０ＧＢｙｔｅ容量の光ファイバーに相当）を介して設定されている。
【００２８】
接続状態を示す２１１、２１２、２１３は、パス２１４を実現するため、ノード（すなわち、クロスコネクト装置）２０１、２０２、２０３に夫々設定されている。確立されているパスの経路を含むパスの詳細情報、つまりパス識別番号や中継するノード番号、パスの終端点、そしてノード内の接続状態等が全ノード２０１、２０２、２０３、２０４夫々において、パス情報のデータベース２１５に蓄積されている。
【００２９】
また同様にＥＭＳ１０２においても、各々のノードにおける全てのパス情報を一元化して管理するデータベース１０６を有する。
【００３０】
受信パスサイズについては、制御方法としてパスサイズを固定的に設定する方式と入力パスサイズに追随するパスサイズ自動変更方式の２通りが存在し、ユーザがどちらかを選択出来るしくみとなっている。この情報もサイズ（帯域）管理情報としてデータベース１０６、２１５に蓄積されている。
【００３１】
図３（１）は、パスサイズ固定方式を示す構成図である。
【００３２】
まず、ＥＭＳ１０２からのパス設定要求の指示において、指定された情報に従い、パスサイズＳＴＳ−１（伝送速度５２Ｍｂｐｓの同期転送信号）でノード２０１のＦｒｏｍ（入力側）とＴｏ（出力側）の２点におけるＳＴＳ−１の終端点３０３を結びＳＴＳ−１パス３０５がクロスコネクトされた状態と成っている。
【００３３】
該ＥＭＳからのパス解除要求の指示が来るまで、該パスのサイズはＳＴＳ−１で固定される。
【００３４】
ＳＤＨ／ＳＯＮＥＴのフレームにおいて、ラインオーバヘッドにはパスのサイズを決定する指標であるＨ１、Ｈ２バイト（データの集合であるフレームの先頭に位置するポインタ）が定義されている。
【００３５】
従って、送信パス信号３０２のパスサイズは、該ＥＭＳから指定されたＳＴＳ−１を送信Ｈ１、Ｈ２バイトに変換しフレームを送信する。
【００３６】
言い換えれば、送信パス信号３０２のパスサイズは、該ＥＭＳから指定されたＳＴＳ−１に従って決定されフレームが送信される。
【００３７】
同様に受信側においても受信Ｈ１、Ｈ２バイトによりパスサイズが示されるが、パスのサイズは該ＥＭＳから指定されたＳＴＳ−１に従うため、受信Ｈ１、Ｈ２バイトは無視する。
【００３８】
言い換えれば、受信側にて受信されるフレームにもＨ１、Ｈ２バイトは付加されているが、ノード２０１にて該ＥＭＳから指定されたＳＴＳ−１に従いパスサイズは決定されＨ１、Ｈ２バイトは無視される。
【００３９】
つまり、図２におけるパス２１４に対して、接続状態２１１、２１２、２１３各々のクロスコネクト時に該ＥＭＳからパスのサイズを指定する必要がある。
【００４０】
図３（２）は、パスサイズ自動変更方式を示す構成図である。
【００４１】
パスサイズ自動変更方式の場合、上記パスサイズ固定方式と異なりパス設定要求時にＥＭＳ１０２からパスサイズを指定されることはない。
【００４２】
ノード２０１のＦｒｏｍ（入力側）とＴｏ（出力側）の２点における終端点３０３を結んだパス３０５のサイズは、受信パス信号３０１のサイズ、つまり受信パス信号３０１のパスサイズを決定する信号フレームのオーバヘッドであるＨ１、Ｈ２バイトにより決定し、また送信パス信号３０２のサイズは、受信パス信号３０１のサイズと同じパスサイズの値が送信パス信号３０２のオーバヘッド部分であるＨ１，Ｈ２バイトに書き込まれ隣接のノードに送信される。
【００４３】
従って、該受信パス信号のサイズが各々ＳＴＳ−１の場合、ノード２０１内のＦｒｏｍ（入力側）とＴｏ（出力側）の２点におけるＳＴＳ−１終端点３０３を結んだ３本のＳＴＳ−１パス３０５がクロスコネクトされていることになる。
【００４４】
ここでパスサイズ判定送信手段３０９はノード２０１に内在し、受信パス信号３０１のオーバヘッド部分であるＨ１，Ｈ２バイトをチェックし、パスサイズの判定及び決定を行い、クロスコネクト状態にあるパス３０５を通って、オーバヘッドＨ１，Ｈ２バイトを送信側パス信号３０２のオーバヘッド部に書き込み送信する機能を備える。（（ａ）パスサイズ変更前の場合）
次にＨ１、Ｈ２バイトの変化が発生し、受信パス信号３０１のサイズがＳＴＳ−１からＳＴＳ−３へ変化した場合、ノード２０１では上述したパスサイズ変更前のＳＴＳ−１終端点３０３を結んだ３本のＳＴＳ−１パス３０５がＦｒｏｍ（入力側）とＴｏ（出力側）の２点における終端点３０４を結んだＳＴＳ−３パス３０６に変化する。（（ｂ）パスサイズ変更後の場合）
送信パス信号３０２においてもＳＴＳ−３サイズの信号を送信する。つまり、図２におけるパス２１４において、ノード２０１のパス終端点２０９に対し入力パスのサイズを変更すると、接続状態２１１、２１２、２１３のサイズは自動的に変化することになる。
【００４５】
ここで上記（ｂ）のパスサイズ変更後の場合、図３（２）（ｂ）に示すノード２０１に内在する手段３０９は、上記（ａ）のパスサイズ変更前の該パスサイズ判定送信手段３０９と同一機能を備える。
【００４６】
あるパスをネットワーク管理者がユーザへ提供する場合、ネットワーク管理者が管理するパス束の最大単位である「帯域」単位にパス束を貸し出す。
【００４７】
パスの貸し出しにおいて「ＳＴＳ−１２」の「帯域」が指定された場合、パスのサイズを「ＳＴＳ−１２ｃ」「ＳＴＳ−３ｃ×４」「ＳＴＳ−３ｃ×３  ＋  ＳＴＳ−１×３」等のうち、どの組み合わせで運用するか否かは、実際に運用するユーザに委ねられる。ここで「ｃ」はコンカテイネーション（連続）を示し、例えば、「ＳＴＳ−１２ｃ」はＳＴＳ−１が１２個分繋がった容量分のパスを示している。
【００４８】
このとき、従来のパスサイズ固定方式では問題ないが、パスサイズ自動変更方式では次に示す制限事項が存在する。パスのサイズは、ネットワーク管理者から指定される「帯域」を超えてはいけない。つまり、複数の「帯域」を跨ぐ形で、パスのサイズが変化してはならない。なぜならば、「帯域」はネットワーク管理者が管理するパス束の最大単位であるため、「帯域」が異なるということは、パスを使用するユーザが異なることを意味する。ユーザが異なれば、もちろんパスの経路も異なる。
【００４９】
従って、図２のパス管理方式を示す図において、例えば帯域ＳＴＳ−３c＃１（２つのノード２０１と２０３のパス終端点２０９、２１０間を物理リンク２０５、２０６を介して設定されるパスに相当）をユーザＡに、帯域ＳＴＳ−３c＃２（２つのノード２０１と２０３のパス終端点２０９、２１０以外の終端点間を物理リンク２０７、２０８を介して設定されるパスに相当）をユーザＢに、帯域ＳＴＳ−３c＃３（２つのノード２０１と２０２のパス終端点間を物理リンク２０５を介して設定されるパスに相当）をユーザＣに、帯域ＳＴＳ−３c＃４（２つのノード２０１と２０２のパス終端点間を物理リンク２０６、２０７、２０８を介して設定されるパスに相当）をユーザＤに提供し、例えばパスのサイズはユーザＡから順にＳＴＳ−３ｃ、ＳＴＳ−１×３、ＳＴＳ−１×３、ＳＴＳ−３ｃとする。
【００５０】
しかし、ユーザＡの帯域を通過するパスのサイズがＳＴＳ−３ｃからＳＴＳ−１２ｃに誤って変化した場合、パスサイズ自動認識方式を採用しているためにＳＴＳ−１２ｃの信号が送信され、管理元の異なるユーザＡ、Ｂ、Ｃ、Ｄの帯域を夫々通過するパスが回線障害となる。
【００５１】
このように、各ノードにおける受信パスのサイズが、帯域を越えるような動作が発生した場合、パスの回線障害を引き起しユーザに多大な影響を与えてしまう可能性は高い。パスサイズの自動変更方式を選択する以上、誤ったサイズ変更によるパスの回線障害の可能性を皆無にすることは不可能であるが、パスの回線障害の時間を短時間に押さえ、ユーザへの影響を最小限にすることは可能である。
【００５２】
ここで、誤ったサイズ変更が発生した場合の対応方法を以下に示す。
【００５３】
上記で説明してきた自動変更方式を用いてパス管理を実行し、万が一、ネットワーク管理者から指定された帯域を越えるようなパスサイズ変更が生じた場合、オペレーションシステムであるＥＭＳはパスサイズの自動変化を認識するのみであり、この障害をＥＭＳが完全に把握することは非常に難しく、従ってＥＭＳ自身は警報発行を行わない。
【００５４】
本発明者の検討に依れば、パスの接続状態によっては、パスレベルの警報、例えばＡＩＳ（Alarm Indication Signal）やＬＯＰ（Loss Of Pointer)等が検出されることも有り得るが、この情報だけでは真の原因特定は難しい。また、パスの回線障害を引き起こした場合には、パスを終端する装置にて回線障害を示す警報も検出されるが、やはりこれも真の原因特定のためには、ある程度の時間を要する。
【００５５】
ＩＴＵやＳＯＮＥＴで標準化されている管理オブジェクト規定（ＭＯ規定：Ｍａｎａｇｅｄ  Ｏｂｊｅｃｔ）の勧告において、上記の問題発生時における管理方法を定義している箇所は存在しない。
【００５６】
従って、自動変更方式を用いてパス管理を実行し、ネットワーク管理者から指定された帯域を越えるようなパスのサイズ変更が発生した場合、誤ったサイズ変化を認識したノード（受信側）からオペレーションシステムに対して警報を通知するよう、新たに提案するものである。新警報の名前は、パスサイズ超過警報とする。
【００５７】
ノードにおけるパスサイズ超過警報検出処理のフローを図４に示す。
【００５８】
ノードでパスが設定されると同時に、各ノードにてノード内のＬＳＩ等のハードウエアが受信パスサイズのモニタリングを開始し、モニタリングの結果をレジスタ等に格納するとともに集計する。
【００５９】
０．５秒周期でサイズのモニタリングＦ４０１を実施し、モニタ値が異常Ｆ４０２であった場合、異常処理Ｆ４０３を実行する。
【００６０】
モニタ値の異常とは、Ｈ１、Ｈ２バイトの不正等である。
【００６１】
また、正常なモニタ値が４回連続一致Ｆ４０４した場合、受信パスサイズが決定Ｆ４０５される。
【００６２】
また、サイズが決定されるまでの間のパスサイズは、前状態を保持するものとする。
【００６３】
ここで受信パスサイズを決定する際、４回連続のモニタ値一致を試みているが、このモニタ値チェック手順はＢｅｌｌｃｏｒｅ  ＧＲ−２５３規格書の手順に従っている。
【００６４】
次に、警報発生のケースについて説明する。受信パスサイズの決定後、受信パスサイズとパス設定時に指定された帯域を比較する。
【００６５】
「受信パスサイズ＞指定帯域」Ｆ４０６の場合、パスサイズ超過検出Ｆ４０７として扱い、この状態が３秒連続で発生した場合Ｆ４０８、パスサイズ超過警報Ｆ４０９としてＥＭＳへ通知される。
【００６６】
次に、警報回復のケースについて説明する。発生のケースと同じであり、受信パスサイズの決定後、受信パスサイズとパス設定時に指定された帯域を比較する。
【００６７】
「受信パスサイズ≦指定帯域」Ｆ４１０の場合、パスサイズ超過回復Ｆ４１１として扱い、この状態が１０秒連続で回復した場合Ｆ４１２、パスサイズ超過警報回復Ｆ４１３としてＥＭＳへ通知される。
【００６８】
ここでパスサイズ超過検出に対し３秒連続発生及びパスサイズ超過回復に対し１０秒連続回復を設定しているが、この設定条件もＢｅｌｌｃｏｒｅ  ＧＲ−２５３規格書に記載されている警報通知規定（警報発生：２．５秒±０．５秒、警報回復：１０秒±０．５秒）に準拠している。
【００６９】
また、パスサイズ超過警報の付加情報としては、検出したノード番号（図２の２０１、２０２、２０３、２０４）や検出したノード内の接続状態（図２の２１１、２１２、２１３）と変化後のパスサイズ等が挙げられる。
【００７０】
ＥＭＳでは、上記の情報を元にパスサイズ超過の直接の原因となったノードやパスの特定、障害範囲等を分析し、ユーザが迅速な対応が出来るようなＧＵＩを提供する必要がある。
【００７１】
ＥＭＳにおけるパスサイズ超過警報発生時のサイズ超過の原因特定や障害範囲の分析のフローを図５に示す。
【００７２】
まず、ＥＭＳは、ノードから通知されたパスサイズ超過の警報情報データベース５０１とパス情報データベース１０６とから、自リング（警報を検出した所のクロスコネクト装置（ノード）が属するリング）内で障害となるパスの経路の特定処理Ｆ５０２を実行し、障害と成るパスを特定する。
【００７３】
警報情報データベース５０１は、警報を検出したパスにおけるリング番号、ノード番号、パス接続情報、パス識別情報を示し、パス情報データベース１０６は、ＥＭＳが管理するネットワークにおけるパス情報を示す。
【００７４】
また、このパス情報（すなわち、ネットワークにおけるパス情報）もリング番号、ノード番号、パス接続情報、パス識別情報、サイズ（帯域）管理情報などから構成される。
【００７５】
次に障害となるパスの特定処理Ｆ５０２により特定されたパスと警報情報データベース５０１を元に、警報を検出しているノードの中で最も先頭のノード内のパスの位置を特定して認識する処理Ｆ５０３を実行する。例えば、図２のパス２１４においてパス接続状態２１１、２１２、２１３全ての箇所にてパスサイズ超過警報を検出したとする。このときの最も先頭のパスとは、接続状態２１１を指す。
【００７６】
つまり、警報を検出しているノードの中で最も先頭のノード内のパスの位置を特定して認識する処理Ｆ５０３における先頭とは、低速側のネットワークから送られてくる信号（パス）を高速伝送路へ多重したノード、つまりパスの始点に最も近いことを意味する。該処理Ｆ５０３で特定された先頭パスは、サイズ超過の原因となったパスであり、またこのパスに誤ったサイズが送信されたことを意味する。この先頭パスが、パスの始点であった場合、サイズ超過の原因は他リング（すなわち、図１における低速側ネットワーク内に存在する伝送装置１０８及びＡＴＭ装置１０９などから構成されるリング）のパスであることが予想できる。
【００７７】
もし、他リングも同じＥＭＳ管理下であり、他リングにおけるパス情報もパス情報データベース１０６で共有出来るものであるならば、ＥＭＳが保持するパス情報データベース１０６を参照しながら、サイズ超過の原因である他リングのパスを特定することが出来る。そして、この原因として特定したパス情報をＥＭＳの画面に表示Ｆ５０４することにより、ユーザは迅速な対応を行うことが可能である。
【００７８】
次にサイズ超過警報による自リング内の障害パスは、障害となるパス経路の特定処理Ｆ５０２により特定されているが、これ以外の他リングへのパスの障害範囲も突き止める必要がある。但し、この場合も他リングも同じＥＭＳ管理下であり、他リングにおけるパス情報もパス情報データベース１０６で共有出来るものと仮定する。ＥＭＳが保持するパス情報データベース１０６を参照しながら、パス経路の特定処理Ｆ５０２で特定したパスのうち低速側への分離しているものの接続先を特定していけば、他リングのパス経路の特定Ｆ５０５を行うことが出来る。そして、該処理Ｆ５０５（すなわち、他リングのパス障害範囲を特定するための処理）で特定した他リングにおけるパスと自リングにおけるパス特定処理Ｆ５０２で特定したパスは、サイズ超過により回線障害となった可能性があり、これらのパス全てが障害範囲を示す。よって、これらのパス情報をＧＵＩに表示Ｆ５０６することにより、ユーザは速やかに復旧作業のために行動を起こすことが可能である。
【００７９】
【発明の効果】
以上説明したように、本発明は以下の効果を有する。
【００８０】
パスサイズ自動変更方式を使用することにより、パスに対して任意の時間に任意のパスサイズ変更に対応することが可能となり、ネットワークのサービス能力や運用性が飛躍的に向上する。また、サイズが自動的に変更されるため、パス設定時の各ノードのサイズ管理が不要になること、パスを解除せずにパスのサイズ変更を実現することにより、ネットワーク保守・管理のシンプル化も可能となる。
【００８１】
パスサイズ固定方式、パスサイズ自動変更方式の両方をサポートすることにより、サービスの形態によって適切な方式をユーザが選択することが可能となり、柔軟なサービスの対応が可能となる。
【００８２】
新たな警報を定義してこれをオペレーションシステムが収集／分析を行い、原因特定、影響範囲等を明確にし、ユーザが迅速な対応を取れるようなＧＵＩを提供することにより、ネットワークの保守・管理のシンプル化を実現し、また安定したサービスを提供することも可能となる。
【図面の簡単な説明】
【図１】本発明における伝送装置とオペレーションシステムの構成例を示す図である。
【図２】本発明におけるパスの管理方式の一例を示す図である。
【図３】（１）は、従来方式のパス固定方式を示す図であり、（２）は新方式のパス自動変更方式を示す図であり、（ａ）はサイズ変更前（ｂ）はサイズ変更後を示す図である。
【図４】各ノードがパスサイズ超過警報を検出する時の処理フローを示す図である。
【図５】パスサイズ超過警報発生時、オペレーションシステムが原因特定や障害範囲の分析を行う処理フローを示す図である。
【符号の説明】
１０１…ＮＭＳ、１０２…ＥＭＳ、１０３…ＴＬ１インタフェース変換部、１０４…リングネットワーク管理部、１０５…ＧＵＩ部、１０６…オペレーションシステムが有するパス情報データベース、１０７…クロスコネクト装置、１０８…伝送装置、１０９…ＡＴＭ装置、１１０…高速伝送路、２０１、２０２、２０３、２０４…ノード、２０５、２０６、２０７、２０８…物理リンク、２０９、２１０…パス終端点、２１１、２１２、２１３…ノード内のパス接続状態、２１４…パスの経路、２１５…ノードが有するパス情報データベース、３０１…受信パス信号、３０２…送信パス信号、３０３…ＳＴＳ−１終端点、３０４…ＳＴＳ−３終端点、３０５…ＳＴＳ−１パス、３０６…ＳＴＳ−３パス、Ｆ４０１…０．５秒周期でサイズをモニタリング、Ｆ４０２…モニタ値が正常か異常か？、Ｆ４０３…異常処理、Ｆ４０４…モニタ値が４回連続一致するか？、Ｆ４０５…受信パスサイズの決定、Ｆ４０６…受信パスサイズが指定帯域を超過した、Ｆ４０７…パスサイズ超過状態の検出、Ｆ４０８…超過状態が３秒間連続発生、Ｆ４０９…オペレーションシステムに警報発生を通知、Ｆ４１０…受信パスサイズが指定帯域を超過せず、Ｆ４１１…パスサイズ超過回復を検出、Ｆ４１２…超過しない状態が１０秒間連続発生、Ｆ４１３…オペレーションシステムに警報回復を通知、５０１…パスサイズ超過における警報情報データベース、Ｆ５０２…自リング内における障害となるパス経路を特定する処理、Ｆ５０３…サイズ超過の原因となったパスを特定する処理、Ｆ５０４…サイズ超過の原因となったパス情報をＥＭＳの画面に表示する、Ｆ５０５…他リングのパス障害範囲を特定するための処理、Ｆ５０６…サイズ超過による自／他リングにおける障害範囲をＥＭＳの画面に表示する。
【図１】
0003779543.tif 000002
【図２】
0003779543.tif 000003
【図３】
0003779543.tif 000004
【図４】
0003779543.tif 000005
【図５】
0003779543.tif 000006